(57)【要約】 【課題】  建築物の屋根として普及している瓦棒葺や竪平葺などの屋根面に設置する諸部材の取付けを、諸部材の取付け状況に合わせて設置できる装置を提供する。 【解決手段】  固定部材の全体が適当長さに成る外枠体の長手方向の左右両側端部に曲折部を設けるとともにこの両曲折部の適当間隔部には凹溝部を対設し、前記固定部材の外枠体の内部に摺動可能な内枠体を，その一端両側部に内凹溝部につづく長溝孔部を設けるとともにその中間部に内凹溝部につづく長溝孔部を設け、前記内枠体が前記外枠体内部の摺動時に、外枠体の一凹溝部と内枠体の内凹溝部につづく長溝孔部とが、また外枠体の他凹溝部と内枠体の他内凹溝部につづく長溝孔部とがそれぞれ接離開閉し得るようにし、前記内枠体の一端部の左右両側に外方に曲折した停止部を設け、前記外枠体の底面部適所に長孔を設け、この長孔に取付けるべき屋根構造部への取付け具を連結する螺子を臨設して成るものである。【選択図】    図３
2018080532.tif 000002
【特許請求の範囲】
【請求項１】
固定部材の全体が適当長さに成る外枠体の長手方向の左右両側端部に曲折部を設けるとともにこの両曲折部の適当間隔部には凹溝部を対設し、前記固定部材の外枠体の内部に摺動可能な内枠体を，その一端両側部に内凹溝部につづく長溝孔部を設けるとともにその中間部に内凹溝部につづく長溝孔部を設け、前記内枠体が前記外枠体内部の摺動時に、外枠体の一凹溝部と内枠体の内凹溝部につづく長溝孔部とが、また外枠体の他凹溝部と内枠体の他内凹溝部につづく長溝孔部とがそれぞれ接離開閉し得るようにし、前記内枠体の一端部の左右両側に外方に曲折した停止部を設け、前記外枠体の底面部適所に長孔を設け、この長孔に取付けるべき屋根構造部への取付け具を連結する螺子を臨設して成ることを特徴とする屋根における諸部材の取付装置。
【請求項２】
固定部材の全体が適当長さに成る外枠体の長手方向の左右両側端部に曲折部を設けるとともにこの両曲折部の適当間隔部には凹溝部を対設し、前記固定部材の外枠体の内部に摺動可能な内枠体を，その一端両側部に内凹溝部につづく長溝孔部を設けるとともにその中間部に内凹溝部につづく長溝孔部を設け、前記内枠体が前記外枠体内部の摺動時に、外枠体の一凹溝部と内枠体の内凹溝部につづく長溝孔部とが、また外枠体の他凹溝部と内枠体の他内凹溝部につづく長溝孔部とがそれぞれ接離開閉し得るようにし、前記内枠体の一端部の左右両側に外方に曲折した停止部を設け、この停止部に設けた通口と前記外枠体の一端部に設けた突片部の通口との間を螺子にて締結し得るようにし、前記外枠体の底面部には凸底部を形成し、この外枠体の凸底部の適所に屋根構造部への取付け具を連結する螺子を臨設して成ることを特徴とする屋根における諸部材の取付装置。
【請求項３】
固定部材の全体が適当長さに成る外枠体の長手方向の左右両側端部に曲折部を設けるとともにこの両曲折部の適当間隔部には凹溝部を対設し、前記固定部材の外枠体の内部に摺動可能な内枠体を，その一端両側部に内凹溝部につづく長溝孔部を設けるとともにその中間部に内凹溝部につづく長溝孔部を設け、前記内枠体が前記外枠体内部の摺動時に、外枠体の一凹溝部と内枠体の内凹溝部につづく長溝孔部とが、また外枠体の他凹溝部と内枠体の他内凹溝部につづく長溝孔部とがそれぞれ接離開閉し得るようにし、前記内枠体の一端部の左右両側に外方に曲折した停止部を設け、前記外枠体の底面部適所に長孔を設け、この長孔に取付けるべき屋根構造部への取付け具を連結する螺子を臨設して成ることを特徴とする屋根における雪止め材取付装置。
【請求項４】
固定部材の全体が適当長さに成る外枠体の長手方向の左右両側端部に曲折部を設けるとともにこの両曲折部の適当間隔部には凹溝部を対設し、前記固定部材の外枠体の内部に摺動可能な内枠体を，その一端両側部に内凹溝部につづく長溝孔部を設けるとともにその中間部に内凹溝部につづく長溝孔部を設け、前記内枠体が前記外枠体内部の摺動時に、外枠体の一凹溝部と内枠体の内凹溝部につづく長溝孔部とが、また外枠体の他凹溝部と内枠体の他内凹溝部につづく長溝孔部とがそれぞれ接離開閉し得るようにし、前記内枠体の一端部の左右両側に外方に曲折した停止部を設け、この停止部に設けた通口と前記外枠体の一端部に設けた突片部の通口との間を螺子にて締結し得るようにし、前記外枠体の底面部には凸底部を形成し、この外枠体の凸底部の適所に屋根構造部への取付け具を連結する螺子を臨設して成ることを特徴とする屋根における雪止め材取付装置。
【発明の詳細な説明】
【技術分野】
【０００１】
本発明は、建築物の屋根に設置する諸部材の取付装置に関するものである。
【背景技術】
【０００２】
建築物の屋根には各種形態のものが存するところ、住宅・工場等の建築物の屋根としては瓦棒葺や竪平葺などの屋根が普及しているが、これらの屋根面に設置する雪止め部材その他諸部材の取付装置は、設置する位置が固定するような設計であるため、取付部材にとって不便であったことに鑑み、本発明は屋根面における諸部材の取付け状況に合わせて最適位置に設置できるようにする装置を提供することを目的とするものである。
【０００３】
そのための手段として、本発明は瓦棒葺や竪平葺などの各屋根の構造体に適合するアタッチメントを用いてスライドできる金具部材を用意し、適位置に当該部材を保持固定するようにするものであり、上部に所定構成の雪止め材などの諸部材を左右方向に懸架して取付けるのである。これに関係する公知の特許文献としては、次のようなものがある。
【先行技術文献】
【特許文献】
【０００４】
【特許文献１】特開２００１−１７３１７９号公報
【特許文献２】特開２０１５−２２１９８７号公報
【０００５】
特許文献１は、瓦下の屋根板に固着する屋根取付部と、瓦屋根上に位置するアングル装着部とを備え、アングル装着部を対向する金属板で構成する嵌入部で形成し、アングル挟持機能を付与した瓦屋根用の雪止め金具である。
【０００６】
特許文献２は、軒側挟持部と棟側挟持部とを、金具本体の上方から位置変更操作するための長窓状操作用窓部を金具本体の上部に設け、操作用窓部の上方をスライド移動可能な移動体を金具本体の上部に設け、移動体に屋根上設置物を固定する固定ボルトを設けた横葺屋根用の屋根上設置物取付金具である。
【０００７】
以上の公知文献には、建築物の葺屋根面に雪止め部材の取付金具を固定し、この取付金具の上側面部に可動材をスライドすることにより、該部材を固定するものは存するが、この可動材を適位置に調整移動して固定保持するものは存しないから、長尺の雪止め部材などを懸架してこれを適位置において固定設置するという手段は存しなかったといえるのである。
【発明の概要】
【発明が解決しようとする課題】
【０００８】
そこで、本発明は、任意構造の屋根面において、雪止め部材その他の比較的大型の各種諸部材を設置するために、その諸部材の取付けのための固定部材を、適位置まで前後方向にスライド調整することを可能にするとともに安全かつ安定的に取り付けることができる治具と取付装置を提供することを目的とするものである。
【課題を解決するための手段】
【０００９】
本発明は、固定部材の全体が適当長さに成る外枠体の長手方向の左右両側端部に曲折部を設けるとともにこの両曲折部の適当間隔部には凹溝部を対設し、前記固定部材の外枠体の内部に摺動可能な内枠体を，その一端両側部に内凹溝部につづく長溝孔部を設けるとともにその中間部に内凹溝部につづく長溝孔部を設け、前記内枠体が前記外枠体内部の摺動時に、外枠体の一凹溝部と内枠体の内凹溝部につづく長溝孔部とが、また外枠体の他凹溝部と内枠体の他内凹溝部につづく長溝孔部とがそれぞれ接離開閉し得るようにし、前記内枠体の一端部の左右両側に外方に曲折した停止部を設け、前記外枠体の底面部適所に長孔を設け、この長孔に取付けるべき屋根構造部への取付け具を連結する螺子を臨設して成るものである。
【００１０】
また本発明は、固定部材の全体が適当長さに成る外枠体の長手方向の左右両側端部に曲折部を設けるとともにこの両曲折部の適当間隔部には凹溝部を対設し、前記固定部材の外枠体の内部に摺動可能な内枠体を，その一端両側部に内凹溝部につづく長溝孔部を設けるとともにその中間部に内凹溝部につづく長溝孔部を設け、前記内枠体が前記外枠体内部の摺動時に、外枠体の一凹溝部と内枠体の内凹溝部につづく長溝孔部とが、また外枠体の他凹溝部と内枠体の他内凹溝部につづく長溝孔部とがそれぞれ接離開閉し得るようにし、前記内枠体の一端部の左右両側に外方に曲折した停止部を設け、この停止部に設けた通口と前記外枠体の一端部に設けた突片部の通口との間を螺子にて締結し得るようにし、前記外枠体の底面部には凸底部を形成し、この外枠体の凸底部の適所に屋根構造部への取付け具を連結する螺子を臨設して成るものである。
【発明の効果】
【００１１】
本発明に係る取付具は、主として屋根の軒先部に設置するものであるから、葺屋根材の法面に太陽光発電システムを設置した屋根であろうと設置していない通常の屋根であろうと、本装置を支障なく安全かつ確実に設置することができるのである。
【００１２】
また、屋根材の種類を問わず、広告看板や雪止め具などの諸部材を所望位置に自由かつ確実に調整しながら取付け設置することができるのである。
【００１３】
このように屋根上に取付ける諸目的の取付部材を、本発明の構成によって設置するものであるから、その利用性は広範囲なものとなる。
【図面の簡単な説明】
【００１４】
【図１】実施例１の固定部材の開口時の斜視図
【図２】同上固定部材の開口時の別斜視図
【図３】同上固定部材の開口時の平面図
【図４】図３Ａ−Ａ線の断面図
【図５】図３Ｂ−Ｂ線の断面図
【図６】実施例１の固定部材の閉口時の斜視図
【図７】同上固定部材の閉口時の別斜視図
【図８】同上固定部材の閉口時の平面図
【図９】図８Ｃ−Ｃ線の断面図
【図１０】図８Ｄ−Ｄ線の断面図
【図１１】実施例２の固定部材の開口時の斜視図
【図１２】同上固定部材の開口時の別斜視図
【図１３】同上固定部材の開口時の平面図
【図１４】図１３Ｅ−Ｅ線の断面図
【図１５】図１３Ｆ−Ｆ線の断面図
【図１６】実施例２の固定部材の閉口時の斜視図
【図１７】同上固定部材の閉口時の別斜視図
【図１８】同上固定部材の閉口時の平面図
【図１９】図１８Ｇ−Ｇ線の断面図
【図２０】図１８Ｈ−Ｈ線の断面図
【図２１】竪平葺屋根に実施例１の固定部材を介して雪止め材を取り付けた実施例の正斜視図
【図２２】図２１の実施例１の背斜視図
【図２３】図２１の実施例１の左側面図
【図２４】図２１の実施例１の平面図
【図２５】竪平葺き屋根部への本固定部材の開口時の図３Ａ−Ａ線の断面図
【図２６】竪平葺き屋根部への本固定部材の開口時の図３Ｂ−Ｂ線の断面図
【図２７】図２５の本固定部材の閉口時の図３Ａ−Ａ線の断面図
【図２８】図２６の本固定部材の閉口時の図３Ｂ−Ｂ線の断面図
【図２９】竪平葺屋根に実施例２の固定部材を介して雪止め材を取付けた実施例の正斜視図
【図３０】図２９の実施例２の背斜視図
【図３１】図２９の実施例２の左側面図
【図３２】竪平葺屋根部への本固定部材の開口時の図１３Ｅ−Ｅ線の断面図
【図３３】竪平葺屋根部への本固定部材の開口時の図１３Ｆ−Ｆ線の断面図
【図３４】図３２の本固定部材の閉口時の図１３Ｅ−Ｅ線の断面図
【図３５】図３３の本固定部材の閉口時の図１３Ｆ−Ｆ線の断面図
【図３６】瓦棒葺屋根に実施例１の固定部材を介して雪止め材を取付けた実施例の正斜視図
【図３７】図３６の実施例１の背斜視図
【図３８】図３６の実施例１の左側面図
【図３９】図３６の実施例１の平面図
【図４０】瓦棒葺屋根に実施例２の固定部材を介して雪止め材を取付けた実施例の正斜視図
【図４１】図４０の実施例２の背斜視図
【図４２】図４０の実施例２の左側面図
【図４３】瓦棒葺屋根への本固定部材の開口時の図３Ａ−Ａ線の断面図
【図４４】瓦棒葺屋根への本固定部材の開口時の図３Ｂ−Ｂ線の断面図
【図４５】瓦棒葺屋根への本固定部材の閉口時の図８Ｃ−Ｃ線の断面図
【図４６】瓦棒葺屋根への本固定部材の閉口時の図８Ｄ−Ｄ線の断面図
【図４７】瓦棒葺屋根への本固定部材の開口時の図１３Ｅ−Ｅ線の断面図
【図４８】瓦棒葺屋根への本固定部材の開口時の図１３Ｆ−Ｆ線の断面図
【図４９】瓦棒葺屋根への本固定部材の閉口時の図１３Ｅ−Ｅ線の断面図
【図５０】瓦棒葺屋根への本固定部材の閉口時の図１３Ｆ−Ｆ線の断面図
【発明を実施するための形態】
【００１５】
実施例１についていえば、取付ける部材を屋根構造部に合わせるべく、使用すべき固定部材１を選ぶが、本発明にあっては、図示した竪平葺屋根と瓦棒葺屋根の各構造部の場合における雪止め材の取付け作用について説明する。
【００１６】
まず竪平葺屋根ａへの取付け状態は図２１乃至図２８に示しているが、この取付け状態にするためには、基本的にはまず図１乃至図１０に示した固定部材１を使用する。
【００１７】
この固定部材１は外枠体２と内枠体３とから成り、前記外枠体には前後部に間隔をおいて左右両側部に凹溝部５，５，５，５を設けるとともに、前記内枠体にも前後部に間隔をおいて左右両側部に内凹溝部８，８，８，８を設けているから、この外枠体２が有する凹溝部と内枠体３が有する内凹溝部との間に、隣接する竪平屋根部ａに懸架する雪止め材ｘその他の部材の定置板ｙを嵌置する。しかる後に、外枠体２内の内枠体３の一端部に設けた摘み部９に指掛けして内枠体を外枠体２内を摺動するようになる。
【００１８】
すると、内枠体３の前後部の内凹溝部８，８，８，８に前記雪止め具ｘの定置板ｙが載置するとともに長溝孔部７，７，７，７の上側部７’，７’，７’，７’が前記定置板ｙを上側方より抑止するように位置することになるから、内枠体３の底面部の前後部に設けた長孔１２，１３に挿入している外枠体２の底面部外から突設した雄螺子１０，１０の位置が、前記内枠体の長孔１２，１３内の一端部から他端部へ移動して停止する。
【００１９】
しかる後に、固定部材１の外枠体２の底面部から突設して内枠体３の長孔１２，１３上に配置された雄螺子１０，１０に雌螺子１１，１１を締結する。すると、この段階において、実施例１の固定部材１は竪平屋根構造部に締着して連結するから、竪平葺屋根ａ面に雪止め具ｘなどの諸部材が取付け具ｂを介して設置されるようになるのである。
【００２０】
また、瓦棒葺屋根ｃへの取付け状態は図３６乃至図３９に示しているが、この取付け状態にするためにも、基本的には図１乃至図１０に示した固定部材１を使用する。この固定部材１その他の構成と作用は、前記竪平葺屋根ａへの取付け手段について説明したことと同じである。即ち、実施例１の固定部材１を瓦棒屋根構造部に締着して連結した時は、瓦棒葺屋根ｃ面に所定の雪止め材ｘその他の諸部材が取付け具ｄを介して設置されるようになるのである。
【００２１】
次に実施例２についていえば、取付ける部材を屋根構造部に合わせるべく、使用すべき固定部材１を選ぶが、本発明にあっては、図示した竪平葺屋根と瓦棒葺き屋根の各構造部の場合における雪止め材の取付け作用について説明する。
【００２２】
まず竪平葺屋根ａへの取付け状態は図２９乃至図３５に示しているが、この取付け状態にするためには、基本的には図１１乃至図２０に示した固定部材１を使用する。
【００２３】
この固定部材１は外枠材２と内枠材３とから成り、前記外枠体には前後部に間隔をおいて左右両側部に凹溝部５，５，５，５を設けるとともに、前記内枠体にも前後部に間隔をおいて左右両側部に内凹溝部８，８，８，８を設けているから、この外枠体２が有する凹溝部と内枠体３が有する内凹溝部との間の左右両側部に、隣接する竪平葺屋根部ａに懸架する雪止め材ｘの定置板ｙを嵌置した後、内枠体３を移動して定位置で停止する。
【００２４】
しかる後に、外枠体２の凸底部２０，２０内にその底面通孔２１から突設している雄螺子１０，１０に対し雌螺子１１，１１を締結する。すると、この段階において、固定部材１は竪平屋根構造部に締着して連結することになるから、竪平葺屋根部ａ面に所定の雪止め材ｘその他の諸部材が取付け具ｄを介して設置されるようになる。
【００２５】
また、瓦棒葺屋根部ｃへの取付け状態は図４０乃至図４６に示しているが、この取付け状態にするためにも、実施例２の固定部材１を瓦棒葺屋根構造部に締着して連結すれば、瓦棒葺屋根部ｃ面に所定の雪止め材ｘその他の諸部材が取付け具ｄを介して設置されるようになる。
【実施例１】
【００２６】
実施例１にあっては、図１乃至図１０は内外二重構成の外枠体２と内枠体３とから成る固定部材１を示し、その内枠体３は外枠体２の内部において後記内方曲折部４，４をガイドに前後方向に摺動し得るようになるもので、両者の長さは同一である。
【００２７】
前記外枠体２の左右両側部の上端部には任意長さの内方曲折部４，４を形成するが、この左右両内方曲折部は任意間隔をおいて凹溝部５，５，５，５を設けている。この両凹溝部の凹巾長さは同一である。
【００２８】
前記外枠体２の内部には、同一巾形状に成る内枠体３が配置され摺動し得るようになるところ、この内枠体の左右両側部の一端部には外方向に摺動を停止する停止部６，６を設ける。
【００２９】
前記外枠体内部の内枠体３の左右両側部には、他端部と中間部に長溝孔部７，７，７，７をそれぞれ設けているが、各長溝孔部７，７，７，７は内凹溝部８，８，８，８の底辺部の延長線上にあり、この各長溝孔部７，７，７，７は内枠体３の前後摺動時には前記外枠体２の凹溝部５，５，５，５の内側面部にそれぞれ接して凹溝部を閉口するようになる。即ち、内枠体３が摺動してその一端部の停止部６，６が外枠体２の一端部に接して停止した時は、内枠体３の長溝孔部７，７，７，７の上側部７’，７’，７’，７’が外枠体２の凹溝部５，５，５，５の位置に移動し、その開口部分を覆うようになる。
【００３０】
９は前記内枠体３の底面部の一端部に設けた摘み部で、この摘み部は外枠体２の内部における内枠体の摺動時に指先を掛けることになる。
【００３１】
１０，１０は前記外枠体２の底面部の前後２箇所に設けた雄螺子で、底面部から突設するこの雄螺子は前記内枠体３の底面部の前後部に設けた形状の異なる長孔１２，１３にそれぞれ挿入し、外枠体２内部を摺動する内枠体３を所定位置に固定するために、長孔１２，１３上において雌螺子１１，１１をそれぞれ締結するようにするが、前記雄螺子１０，１０の頭部はその下方部に取付く屋根構造材ａ，ｃの取付金具ｂ，ｄの上側部から外枠体２の通孔と内枠体３の長孔１２，１３とに挿入して雌螺子１１，１１にて締結する。
【実施例２】
【００３２】
実施例２にあっては、図１１乃至図２０は内外二重構成の外枠体２と内枠体３から成る固定部材１を示し、その内枠体３は外枠体２の内部において後記内方曲折部４，４をガイドに前後方向に摺動し得るようになるが、これと実施例１との相違点は、内外両枠体の形状と両枠体の固定手段と屋根材取付具との連結固定手段にある。即ち、外枠体２はその底面部中央が外方に凸設する凸底部２０を形成し、内枠体３の底面部とは離間状態にある。
【００３３】
前記外枠体２の左右両側部の上端部には任意長さの内方曲折部４，４を形成し、この左右両内方曲折部の前後部には任意間隔をおいて凹溝部５，５，５，５を設けている。この両凹溝部の凹巾長さは同一である。
【００３４】
前記外枠体２の内部には、同一巾形状に成る内枠体３が配置され摺動し得るようになるが、この内枠体の左右両側部の一端部には外方向に摺動を停止する停止部１４，１４を設ける。
【００３５】
前記外枠体内部の内枠体３の左右両側部には、その一端部と他端部に長溝孔部７，７，７，７をそれぞれ設けているが、各長溝孔部７，７，７，７は内凹溝部８，８，８，８の底辺部の延長線上にあり、この各長溝孔部は内枠体３の摺動時には前記外枠体２の凹溝部５，５，５，５の内側面部にそれぞれ接合して凹溝部を閉口するようになる。即ち、内枠体３が摺動してその一端部の停止部６，６が外枠体２の一端部に接して停止した時は、内枠体３の長溝孔部７，７，７，７の上側部７’，７’，７’，７’が外枠体２の凹溝部５，５，５，５の位置に移動して、その開口部分を覆うようになる。
【００３６】
前記内枠体３の一端部に設けた停止部１４，１４には通孔１５，１５を設け、この通孔には雄螺子１７，１７を装着し、この雄螺子は前記外枠体２の一端部に設けた突片部１８，１８の通孔１６，１６に挿通して雌螺子１９，１９で締結し、これによって雪止め材ｘその他の諸部材の屋根面への取付け位置を調整する。
【００３７】
また、外枠体２の底面部に形成した凸底部２０と屋根材取付け具ｂ，ｄとの間は、凸底部の通孔２１から突設している雄螺子１０に雌螺子１１を締結することにより固定するようになる。
【符号の説明】
【００３８】
１                          固定部材
２                          外枠体
３                          内枠体
４，４                      内方曲折部
５，５，５，５              凹溝部
６，６                      停止部
７，７，７，７              長溝孔部
７’，７’，７’，７’      上側部
８，８，８，８              内凹溝部
９                          摘み部
１０，１０                  雄螺子
１１，１１                  雌螺子
１２                        長孔
１３                        長孔
１４，１４                  停止部
１５，１５                  通孔
１６，１６                  通孔
１７，１７                  雄螺子
１７’，１７’              雌螺子
１８，１８                  突片部
１９，１９                  雌螺子
２０，２０                  凸底部
２１，２１                  通孔
２２，２２                  雌螺子
ａ                          竪平葺屋根部
ｂ                          取付け具
ｃ                          瓦棒葺屋根部
ｄ                          取付け具
ｘ                          雪止め材
ｙ                          雪止め材の定置板
【図１】
2018080532.tif 000003
【図２】
2018080532.tif 000004
【図３】
2018080532.tif 000005
【図４】
2018080532.tif 000006
【図５】
2018080532.tif 000007
【図６】
2018080532.tif 000008
【図７】
2018080532.tif 000009
【図８】
2018080532.tif 000010
【図９】
2018080532.tif 000011
【図１０】
2018080532.tif 000012
【図１１】
2018080532.tif 000013
【図１２】
2018080532.tif 000014
【図１３】
2018080532.tif 000015
【図１４】
2018080532.tif 000016
【図１５】
2018080532.tif 000017
【図１６】
2018080532.tif 000018
【図１７】
2018080532.tif 000019
【図１８】
2018080532.tif 000020
【図１９】
2018080532.tif 000021
【図２０】
2018080532.tif 000022
【図２１】
2018080532.tif 000023
【図２２】
2018080532.tif 000024
【図２３】
2018080532.tif 000025
【図２４】
2018080532.tif 000026
【図２５】
2018080532.tif 000027
【図２６】
2018080532.tif 000028
【図２７】
2018080532.tif 000029
【図２８】
2018080532.tif 000030
【図２９】
2018080532.tif 000031
【図３０】
2018080532.tif 000032
【図３１】
2018080532.tif 000033
【図３２】
2018080532.tif 000034
【図３３】
2018080532.tif 000035
【図３４】
2018080532.tif 000036
【図３５】
2018080532.tif 000037
【図３６】
2018080532.tif 000038
【図３７】
2018080532.tif 000039
【図３８】
2018080532.tif 000040
【図３９】
2018080532.tif 000041
【図４０】
2018080532.tif 000042
【図４１】
2018080532.tif 000043
【図４２】
2018080532.tif 000044
【図４３】
2018080532.tif 000045
【図４４】
2018080532.tif 000046
【図４５】
2018080532.tif 000047
【図４６】
2018080532.tif 000048
【図４７】
2018080532.tif 000049
【図４８】
2018080532.tif 000050
【図４９】
2018080532.tif 000051
【図５０】
2018080532.tif 000052